(57)【要約】【課題】内部にＥＳＤのための導電性部材を組み込むスペースが無い小型のレセプタクルであってもレセプタクル自体でＥＳＤ対策が可能であり、しかもプラグ嵌合に係わるレセプタクルの主要部（端子の配列、寸法等）に一切変更を加える必要のないレセプタクルを提供する。【解決手段】モールディング部７に、複数の信号端子３ｓ及びアース端子３ｅを、これら信号端子３ｓとアース端子３ｅとが隣り合った配列部分を有するように装着したレセプタクル１であって、信号端子３ｓが、モールディング部７に支持される幅広部３２を有し、アース端子３ｅが、モールディング部７に支持される幅広部３２を有し、信号端子３ｓの幅広部３２とアース端子３ｅの幅広部３２とが、モールディング部７のプラグ挿入口２側とは反対側の背面部７３にて、隣り合って露出している。信号端子３ｓに静電気が加わると、幅広部３２にてアース端子３ｅに放電される。【選択図】図４
2009009728.tif 000002
【特許請求の範囲】
【請求項１】
モールディング部に、複数の信号端子及びアース端子を、これら信号端子とアース端子とが隣り合った配列部分を有するように装着したレセプタクルであって、
上記信号端子が、上記モールディング部に支持される幅広部を有し、
上記アース端子が、上記モールディング部に支持される幅広部を有し、
上記信号端子の幅広部と上記アース端子の幅広部とが、上記モールディング部のプラグ挿入口側とは反対側の背面部にて、隣り合って露出している
ことを特徴とするレセプタクル。
【請求項２】
上記モールディング部の背面部に、上記信号端子の幅広部と上記アース端子の幅広部との夫々の対向面同士の間の部分を少なくとも含むようにして窪まされた欠損部を設け、
該欠損部により、上記信号端子の幅広部と上記アース端子の幅広部との夫々の対向面が、上記モールディング部の背面部にて露出された請求項１に記載のレセプタクル。
【請求項３】
上記欠損部は、上記信号端子の幅広部と上記アース端子の幅広部との夫々の対向面同士の間およびそれら幅広部の周囲に沿って、上記背面部に窪まされて形成され、
該欠損部により、上記信号端子の幅広部と上記アース端子の幅広部とが、上記モールディング部の背面部にて、上記対向面のみならず上下左右方向に露出された請求項２に記載のレセプタクル。
【発明の詳細な説明】
【技術分野】
【０００１】
本発明はレセプタクルに係り、特に静電気放電（Electro Static Discharge：ＥＳＤ）に対する保護を有するレセプタクルに関する。
【背景技術】
【０００２】
ＤＶＩ（Digital Visual Interface）規格のレセプタクルが搭載されたパソコンと、ＨＤＭＩ（High Definition Multimedia Interface）規格のレセプタクルが搭載されたＴＶ受像機とを接続するのに、ＤＶＩ−ＨＤＭＩ変換ケーブルが使用される。
【０００３】
図９に示すように、ＤＶＩ−ＨＤＭＩ変換ケーブル（以下変換ケーブル）８０は、一端にＤＶＩプラグ８１を有すると共に他端にＨＤＭＩプラグ８２を有しており、ＤＶＩプラグ８１は、その信号端子の部分が、外部から容易に触れられる構造になっている。このため、変換ケーブル８０のＨＤＭＩプラグ８２がＴＶ受像機８３のＨＤＭＩレセプタクル８４に接続された状態で、変換ケーブル８０のＤＶＩプラグ８１をパソコン８５のＤＶＩレセプタクル８６に係合する前に、そのＤＶＩプラグ８１の信号端子に作業者（人体）の手指等が誤って触れて（もしくは近づいて）ＥＳＤが発生した場合、静電サージによりＴＶ受像機８３側のＬＳＩ等の敏感な電子部品８７に損傷が生じる虞がある。そこで、従来、バリスタやツェナーダイオード等のＥＳＤ対策部品８８をＴＶ受像機８３内の回路基板８９に配設していた。
【０００４】
しかし乍ら、これらのＥＳＤ対策部品８８を追加することはコストアップを招き、また上記ＥＳＤ対策部品８８を回路基板８９に実装するには、回路基板８９に実装のためのスペースが必要となってコンパクト化の要請に反し、加えて上記ＥＳＤ対策部品８８を回路基板８９に実装する追加の工程及び時間を要する。このため、バリスタ等のＥＳＤ対策部品８８を回路基板８９に実装することが不要な、レセプタクル８４自体にＥＳＤ対策が施されたレセプタクル８４が望まれていた。
【０００５】
この種のレセプタクルとして、特許文献１には、コネクタ（レセプタクル）の内部に信号端子に近接させて導電性部材を組み込み、信号端子に静電サージが発生した場合、信号端子からその導電性部材に放電させ、導電性部材からアースするというＥＳＤ対策が施されたレセプタクルが記載されている。より具体的には、このレセプタクル内に組み込まれた上記導電性部材は、信号端子に隣接して信号端子から所定距離だけ隔離された突起を有しており、この突起は、信号端子の放電を惹き付けるＥＳＤ集中部として機能する（引用文献１の５頁、１行〜８行参照）。
【０００６】
このレセプタクルによれば、前述したバリスタやツェナーダイオード等のＥＳＤ対策部品８８を回路基板８９に実装することなく、レセプタクル単独でＥＳＤ対策が可能となるが、レセプタクルの内部に上記導電性部材を組み込む必要がある。ここで、規格によって端子の配列、寸法等が規定されたＨＤＭＩレセプタクル等の小型のレセプタクルの内部には、上記導電性部材を組み込むスペースが無く、このようなレセプタクルに、ＥＳＤ対策として前記発明を適用することは実際上極めて困難である。
【０００７】
【特許文献１】特表２００１−５２０７９４号公報
【発明の開示】
【発明が解決しようとする課題】
【０００８】
以上の事情を鑑みて創案された本発明の目的は、内部にＥＳＤのための導電性部材を組み込むスペースが無い小型のレセプタクルであってもレセプタクル自体でＥＳＤ対策が可能であり、しかもプラグ嵌合に係わるレセプタクルの主要部（端子の配列、寸法等）に一切変更を加える必要のないレセプタクルを提供することにある。
【課題を解決するための手段】
【０００９】
上記目的を達成するために本発明は、モールディング部に、複数の信号端子及びアース端子を、これら信号端子とアース端子とが隣り合った配列部分を有するように装着したレセプタクルであって、上記信号端子が、上記モールディング部に支持される幅広部を有し、上記アース端子が、上記モールディング部に支持される幅広部を有し、上記信号端子の幅広部と上記アース端子の幅広部とが、上記モールディング部のプラグ挿入口側とは反対側の背面部にて、隣り合って露出しているものである。
【００１０】
上記モールディング部の背面部に、上記信号端子の幅広部と上記アース端子の幅広部との夫々の対向面同士の間の部分を少なくとも含むようにして窪まされた欠損部を設け、該欠損部により、上記信号端子の幅広部と上記アース端子の幅広部との夫々の対向面が、上記モールディング部の背面部にて露出されることが好ましい。
【００１１】
上記欠損部は、上記信号端子の幅広部と上記アース端子の幅広部との夫々の対向面同士の間およびそれら幅広部の周囲に沿って、上記背面部に窪まされて形成され、該欠損部により、上記信号端子の幅広部と上記アース端子の幅広部とが、上記モールディング部の背面部にて、上記対向面のみならず上下左右方向に露出されることが好ましい。
【発明の効果】
【００１２】
本発明に係るレセプタクルによれば、内部にＥＳＤのための導電性部材を組み込むスペースが無い小型のレセプタクルであってもレセプタクル自体でＥＳＤ対策が可能であり、しかもプラグ嵌合に係わるレセプタクルの主要部（端子の配列、寸法等）に一切変更を加える必要がない。
【発明を実施するための最良の形態】
【００１３】
本発明の好適な実施形態を添付図面を用いて説明する。本実施形態は、本発明をＨＤＭＩ規格のレセプタクルに適用したものである。
【００１４】
図１は、本実施形態に係るレセプタクル１をプラグ挿入口２側から見た斜視図、図２は、レセプタクル１をプラグ挿入口２側とは反対側から見た背面側斜視分解図である。
【００１５】
図１及び図２に示すように、本実施形態に係るレセプタクル１は、板金製のシェル５と、そのシェル５に四方を包囲されたレセプタクル本体６とから主に構成されている。
【００１６】
レセプタクル本体６は、基部７１から端子台７２が突出された樹脂製のモールディング部７と、モールディング部７の端子台７２の上下両面に整列配置された複数の端子３と、端子３を支持するためモールディング部７に装着される樹脂製の上部ブロック８及び下部ブロック９とを備える。
【００１７】
かかるレセプタクル１は、シェル５とレセプタクル本体６とによってプラグ受け入れ空間４を形成すると共に、その端部にプラグ挿入口２を備える。図示しないプラグは、プラグ挿入口２に対して水平方向から進入して来て、プラグ受け入れ空間４に収納される。
【００１８】
シェル５には、取付脚５６が一体的に形成されている。取付脚５６は、図示しない回路基板に設けた取付穴を貫通してその裏面に設けられた導体パターン（ＧＮＤパターン）に半田付けされ、同基板に固定される。
【００１９】
シェル５の頂面５１及び底面５２には、スプリング部５３が形成されている。スプリング部５３は、プラグ挿入口２に進入して来たプラグをそのバネ力で挟持する機能を有する。
【００２０】
シェル５の側面には、レセプタクル本体６をシェル５に固定するための係止爪５４が設けられ、シェル５の頂面５１には、レセプタクル１をＴＶ受像機のシャシ等に固定するための取付孔５５が形成されたブラケット５７が設けられている。
【００２１】
図３は、モールディング部７の端子台７２をプラグ挿入口２から見たときの端子３の配列の一部、即ちレセプタクル１のプラグ接続部の端子配列の一部を表した説明図である。
【００２２】
端子３は、信号端子３ｓとアース端子３ｅとの２種類が有り、端子台７２の上面及び下面に夫々幅方向に間隔を隔てて複数配設されており、上面、下面の夫々にて、信号端子３ｓとアース端子３ｅとが隣り合った配列部分を有する。上面の端子間隔と下面の端子間隔とは位相がずらされており、上面（又は下面）の２個の信号端子３ｓとそれらの間に挟まれる反対側の面の１個のアース端子３ｅとが三角形の頂点に配置され、それら３個の端子３ｓ、３ｓ、３ｅが１ユニットとして信号を伝送する。これら信号端子３ｓ及びアース端子３ｅの配列、寸法は、ＨＤＭＩ規格によって定められている。
【００２３】
図４は、上記レセプタクル１からシェル５、上部ブロック８、下部ブロック９を夫々取り外した状態の背面側斜視図、図５は図４の円部分の拡大図、図６は、図４のものから更に端子３（信号端子３ｓ、アース端子３ｅ等）を取り外したモールディング部７のみの背面側斜視図である。
【００２４】
モールディング部７は、シェル５の内部をプラグ受け入れ空間４側とその反対側とに仕切るように形成された基部７１と、基部７１からプラグ挿入口２の方向に延出された端子台７２と、基部７１のプラグ受け入れ空間４とは反対側の面に位置する背面部７３と、基部７１の幅方向両端に一体形成された側壁部７４ａに凹設されシェル５の係止爪５４が挿入される爪挿入孔７４と、基部７１に端子３を複数装着するためにプラグ挿入方向と平行に複数形成された端子挿入孔７５とを有する。
【００２５】
端子挿入孔７５は、モールディング部７の基部７１に、背面部７３から端子台７２の方向に貫通形成されていて、上下方向（レセプタクル１の厚さ方向）に２段、ピッチ方向（レセプタクル１の幅方向、図６のＰ方向）に等間隔に並んでいる。上段の端子挿入孔７５と下段の端子挿入孔７５とは、位相がずらされている（図３参照）。端子３は、端子挿入孔７５に、モールディング部の背面部７３から夫々挿入されている。
【００２６】
図７は、図４に記載されたものからモールディング部７を取り除いた端子３のみの背面側斜視図である。
【００２７】
端子３（信号端子３ｓ、アース端子３ｅ等）は、プラグ端子に接触する接触部３１と、接触部３１に繋げて形成されモールディング部７の端子挿入孔７５に圧入される幅広部３２と、幅広部３２の背面に形成され幅広部３２を端子挿入孔７５に圧入する際に治具等に押されるプッシャー面３３と、幅広部３２に繋げて形成され後方に延出されたアーム部３４と、アーム部３４の端部から図示しない回路基板に向けて略９０度屈曲されたレッグ部３５と、レッグ部３５の端部に形成され回路基板へ半田付けされるリード部３６とにより構成されている。
【００２８】
幅広部３２は、モールディング部７の端子挿入孔７５への圧入のために、プッシャー面３３側（圧入方向手前側）が接触部３１側（圧入方向奥側）より幅広になっており、この部分が隣接端子間で最も接近した部分となる。詳しくは、幅広部３２は、接触部３１側からアーム部３４側に架けて、第１テーパ部３２ａ、第１ストレート部３２ｂ、第２テーパ部３２ｃ、第２ストレート部３２ｄが連なって形成されており、第２ストレート３２ｄ同士の間が隣接端子間で最も接近した部分となる。また、幅広部３２の上面及び下面の少なくとも一方には、圧入固定のための突起部３２ｅが形成されている。
【００２９】
図８は、図４のVIII−VIII線断面図である。
【００３０】
モールディング部７の端子挿入孔７５に圧入された端子幅広部３２同士の間には、モールディング部７を構成する端子間モールド７７（絶縁材）が存在している。
【００３１】
本実施形態の特徴は、モールディング部７の背面部７３の端子挿入孔７５の開口付近に、端子３の幅広部３２が互いに露出するように欠損部７６を設け、この欠損部７６により、隣接端子間で最も接近している端子幅広部３２（第２ストレート部３２ｄ）同士の間の端子間モールド７７の背面部７３側に、空気層を形成した点にある。
【００３２】
すなわち、図４及び図５に示すように、モールディング部７の背面部７３に、信号端子３ｓの幅広部３２とアース端子３ｅの幅広部３２との夫々の対向面３２ｘ同士の間の部分を少なくとも含むようにして窪まされた欠損部７６を設け、この欠損部７６により、信号端子３ｓの幅広部３２とアース端子３ｅの幅広部３２との夫々の対向面３２ｘが、モールディング部７の背面部７３にて隣り合って露出されている。
【００３３】
詳しくは、欠損部７６は、図５及び図６に示すように、信号端子３ｓの幅広部３２とアース端子３ｅの幅広部３２との夫々の対向面３２ｘ同士の間およびそれら幅広部３２の周囲に沿って、モールディング部７の背面部７３に窪まされて形成され、この欠損部７６により、図５に示すように、信号端子３ｓの幅広部３２とアース端子３ｅの幅広部３２とが、モールディング部７の背面部７３にて、対向面３２ｘのみならず上下左右方向に露出されている。
【００３４】
なお、図４において、モールディング部７の基部７１の背面部７３にプラグ挿入方向に窪んで形成された空洞部７８は、モールディング部７の無駄な肉抜きのためのものであり、また同背面部７３にプラグ挿入方向に窪んで形成された空洞部７９は、金型構造によるものであり、共に本発明とは直接関係が無い。
【００３５】
本実施形態の作用を述べる。
【００３６】
本実施形態に係るレセプタクル１は、図３に示すように、ＨＤＭＩ規格によって信号端子３ｓの隣にアース端子３ｅが配列された箇所が存在することから、これを利用して、引用文献１に記載された導電性部材等の部品を一切追加することなく、ＥＳＤ対策を施したものである。
【００３７】
具体的には、ＥＳＤによって信号端子３ｓに静電サージが発生した場合、隣のアース端子３ｅに最も接近している幅広部３２で放電させようというものである。すなわち、モールディング部７の背面部７３に欠損部７６を設けることによって、信号端子３ｓの幅広部３２とこれに隣接するアース端子３ｅの幅広部３２とを同背面部７３にて露出させ、露出した幅広部３２同士の間で、空気を介した放電を可能とした。
【００３８】
本実施形態に係るレセプタクル１が図９に示すようにＴＶ受像機８３に装着され、そのレセプタクル１にＤＶＩ−ＨＤＭＩ変換ケーブル８０のＨＤＭＩプラグ８２が係合された状態で、その変換ケーブル８０のＤＶＩプラグ８１の信号端子に作業者（人体）の手指が触れ或いは近付き、ＥＳＤが発生した場合の作用を説明する。
【００３９】
この場合、ＤＶＩプラグ８１の信号端子に加わった静電気は、変換ケーブル８０を介してＴＶ受像機８３のＨＤＭＩレセプタクル１に至り、レセプタクル１の端子配列が図３に示す信号端子３ｓとアース端子３ｅとが隣り合った配列部分を有するため、図５に示す信号端子３ｓの幅広部３２からこれに隣接するアース端子３ｅの幅広部３２に、欠損部７６の空気を介して放電され、アースされる。よって、レセプタクル１の信号端子３ｓと接続されたＴＶ受像機８３内のＬＳＩ等の敏感な電子部品８７に静電気が流れることはなく、それらの電子部品８７が静電気によって損傷することはない。なお、レセプタクル１のアース端子３ｅは、ＴＶ受像機８３内の回路基板８９のアース部分に半田付けされていることは勿論である。
【００４０】
本実施形態では、欠損部７６が、図５及び図６に示すように、モールディング部７の背面部７３にて、信号端子３ｓの幅広部３２とアース端子３ｅの幅広部３２との夫々の対向面３２ｘ同士の間およびそれら幅広部３２の周囲に沿って窪まされて形成されていて、この欠損部７６によって、信号端子３ｓの幅広部３２とアース端子３ｅの幅広部３２とが、モールディング部７の背面部７３にて、上記対向面３２ｘのみならず上下左右方向に露出されている。よって、上記対向面３２ｘの角部３２ｙが露出した状態となり、ＥＳＤ発生時に信号端子３ｓに加わる静電圧がそれほど高くなくても、対向面３２ｘの角部３２ｙから的確な放電が可能となる。
【００４１】
このようなＥＳＤ対策機能を有するレセプタクル１を得るべく、ＥＳＤ対策機能を有さない通常のレセプタクルに対して施した変更点は、モールディング部７の背面部７３の端子挿入孔７５の開口部分に欠損部７６を設けた点のみで、レセプタクル１の要部、即ちプラグとの嵌合に係わる部分（端子３の配列、寸法等）への変更点は皆無であり、従ってプラグ側の変更を全く要しないものとなっている。
【００４２】
ところで、上述したようにモールディング部７の背面部７３に欠損部７６を窪ませて設けるのではなく、端子３の幅広部３２の長手方向の長さを長くして幅広部３２をモールディング部７の背面部７３から後方（アーム部３４の方向）へ突き出すことでも、隣り合う端子３の幅広部３２同士を露出させることが可能であるが、この手法の場合、端子３の形状及び体積を変更することになるため、モールディング部７に欠損部７６を設ける手法よりも、レセプタクル１の電気的特性（端子３のインピーダンス等）に、より大きな影響を与えてしまい、レセプタクル１を電気的特性について再び設計し直さなければならないという不都合が生じる。
【００４３】
また、端子３の幅広部３２の長手方向の長さを長くした場合、モールディング部７の背面部７３にて後方に突き出された端子３の突き出し長さが増すため、モールディング部７の背面部７３側に存在する上部ブロック８及び下部ブロック９の少なくとも一方に端子３が干渉する可能性もあり、干渉する場合、上部ブロック８及び／又は下部ブロック９の形状変更を余儀なくされ、コストアップを招いてしまう。
【００４４】
以上述べたように、本実施形態に係るレセプタクル１によれば、内部にＥＳＤのための導電性部材を組み込むスペースが無い小型のレセプタクル（ＨＤＭＩレセプタクル等）であっても、レセプタクル１自体でＥＳＤ対策が可能であり、しかもプラグ嵌合に係わるレセプタクル１の主要部（端子の配列、寸法等）に一切変更を加える必要がない。
【００４５】
本発明は上記実施形態に限定されるものではない。
【００４６】
本発明が適用されるレセプタクル１は、上記実施形態で述べたＨＤＭＩ規格のものに限られず、モールディング部７に複数の信号端子３ｓ及びアース端子３ｅを、これら信号端子３ｓとアース端子３ｅとが隣り合った配列部分を有するように装着したレセプタクルであれば、ＨＤＭＩ規格のレセプタクルに限られることはない。
【００４７】
また、モールディング部７の背面部７３に凹設される欠損部７６は、上記実施形態においては、信号端子３ｓの幅広部３２とアース端子３ｅの幅広部３２との夫々の対向面３２ｘ同士の間およびそれら幅広部３２の周囲に沿って窪まされ、信号端子３ｓの幅広部３２とアース端子３ｅの幅広部３２とが上記対向面３２ｘのみならず上下左右方向に露出したもの、即ち上記対向面３２ｘの角部３２ｙが露出したものを例示したが、これに限られることはない。
【００４８】
すなわち、モールディング部７の背面部７３に凹設される欠損部７６は、信号端子３ｓの幅広部３２とアース端子３ｅの幅広部３２との夫々の対向面３２ｘ同士の間の部分を少なくとも含むようにして窪まされていればよく、信号端子３ｓの幅広部３２とアース端子３ｅの幅広部３２との対向面３２ｘが少なくとも露出していればよい。つまり、欠損部７６は信号端子３ｓの幅広部３２とアース端子３ｅの幅広部３２との夫々の対向面３２ｘ同士の間の部分のみに凹設されていてもよい。
【図面の簡単な説明】
【００４９】
【図１】本発明の一実施形態に係るレセプタクルをプラグ挿入口側から見た斜視図である。
【図２】図１に示すレセプタクルをプラグ挿入口側とは反対側から見た背面側斜視分解図である。
【図３】図１に示すレセプタクルのモールディング部の端子台をプラグ挿入口から見たときの端子の配列の一部を表した説明図である。
【図４】図１に示すレセプタクルから、シェル、上部ブロック、下部ブロックを夫々取り外した状態の背面側斜視図である。
【図５】図４の円内の拡大図である。
【図６】図４に示すものから端子（信号端子、アース端子等）を取り外したモールディング部のみの背面側斜視図である。
【図７】図４に示すものからモールディング部を取り除いた端子のみの背面側斜視図である。
【図８】図４のVIII−VIII線断面図である。
【図９】ＨＤＭＩレセプタクルを備えたＴＶ受像機と、ＤＶＩレセプタクルを備えたパソコンと、ＨＤＭＩプラグ及びＤＶＩプラグを備えたＤＶＩ−ＨＤＭＩ変換ケーブルとを示す説明図である。
【符号の説明】
【００５０】
１  レセプタクル
７  モールディング部
７３  背面部
７６  欠損部
３  端子
３ｓ  信号端子
３ｅ  アース端子
３２  幅広部
３２ｘ  対向面
３２ｙ  角部
【図１】
2009009728.tif 000003
【図２】
2009009728.tif 000004
【図３】
2009009728.tif 000005
【図４】
2009009728.tif 000006
【図５】
2009009728.tif 000007
【図６】
2009009728.tif 000008
【図７】
2009009728.tif 000009
【図８】
2009009728.tif 000010
【図９】
2009009728.tif 000011